(57)【要約】【課題】係留体を所望する長さに引き出した状態及び出入り不可に確実且つ強固に固定することができる係留体巻取り装置を提供する。【解決手段】係留体巻取り装置１の装置本体２に設けたロック機構８を構成する操作部９の操作体１１を押し込み操作し、規制体１２の係止部１２ｂを、リール５の係止爪７，７に係止する。操作部９全体をロック固定位置にスライド操作して、規制体１２の規制突起１２ｃを、操作枠１０の規制壁部１０ｅに係止して、リール５の係止爪７，７に対する係止が解除される方向に規制体１２が移動しようとするのを操作枠１０により阻止するので、規制体１２の係止状態が確実に維持され、係留体４を所望する長さに引き出した状態及び出入り不可にロック固定することができる。【選択図】  図４
2006174738.tif 000002
【特許請求の範囲】
【請求項１】
装置本体に回転自在に収容保持され、紐状の係留体が巻き取られる方向に付勢されたリールと、該リールに形成した係止爪に係止される規制体と、該係止爪に対する係止が解除される方向に上記規制体を付勢する付勢手段と、該規制体を係止爪に係止した状態に規制するロック機構とを備えた係留体巻取り装置であって、
上記ロック機構は、上記規制体の上端側が支持され、上記装置本体に対して上記規制体の移動方向と交差する方向に向けて移動自在に設けた操作枠と、
上記操作枠が支持する規制体上端に当接され、該操作枠に対して上記リールの係止爪に上記規制体を係止させる位置と、該係止が解除される位置とに上下移動自在に設けた操作体とを備えるとともに、
上記操作枠を、上記リールの係止爪に係止した上記規制体上端に当接され、該係止爪に対する係止が解除される方向に上記規制体が移動しようとするのを阻止するロック固定位置と、
上記規制体上端に対する当接が回避され、該係止爪に対する係止が解除される方向への上記規制体の移動が許容されるロック解除位置とに前後移動自在に設けて構成した
係留体巻取り装置。
【請求項２】
上記操作枠と規制体との対向部に、上記リールの係止爪に対する係止が解除される方向に上記規制体が移動しようとするのを阻止する位置に上記操作枠を移動したときに係止される規制突起と規制壁部とを設けた
請求項１に記載の係留体巻取り装置。
【請求項３】
上記操作体と規制体との対向部に、上記リールの係止爪に対する係止が解除される方向に上記規制体が移動しようとするのを阻止する位置に上記操作枠を積極的に変位させるような角度に傾斜する当接面を設けた
請求項１又は２に記載の係留体巻取り装置。
【請求項４】
上記操作体と規制体との対向部に、上記リールの係止爪に対して係止が解除される方向に上記規制体が移動しようとするのを阻止する位置に上記操作枠を移動したときに互いに係止される一対の戻り止め部を設けた
請求項１，２，３の何れか一つに記載の係留体巻取り装置。
【発明の詳細な説明】
【技術分野】
【０００１】
この発明は、例えば犬や猫等のペットを散歩させるときに用いられる係留体巻取り装置に関する。
【背景技術】
【０００２】
従来、上述のペットを係留する装置としては、例えば回転規制機構を構成する操作部の押し釦片を復帰バネに抗して押し込み操作し、押し釦片下端に当接するロック片をリールの係合爪に係合して、リールを回転不可に固定する。且つ、押し釦片を押し込んだまま操作方向と交差する方向へ揺動操作し、押し釦片のロック爪を装置本体のガイド部に係合してその係合状態を復帰バネの復元力により維持することで、リールの係合爪に係合したロック片が復帰方向へ移動するのを阻止され、係留紐体が出入り阻止状態にロックされる特許文献１の携帯用紐リール装置がある。
【０００３】
しかし、上述の携帯用紐リール装置は、リールの係合爪に対する係合が解除される方向にロック片が移動するのを、押し込み操作方向と交差する方向へ移動操作した押し釦片自体のみで阻止しているが、押し釦片及びロック片の操作方向と、ロック爪及びガイド部の係合方向とが略同一であるため、ロック爪及びガイド部の係合が浅くなるか、何等かの衝撃により係合が解除されたとき、押し釦片とロック片とが復帰方向に向けて一緒に移動され、ロック片がリールの係合爪に対する係合が解除される方向に押し戻されてしまうため、リールの係合爪に対するロック片の係合状態を維持することが難しく、係留紐体を出入り不可に固定することができないという問題点を有している。
【特許文献１】特許第２７６８９０８号公報
【発明の開示】
【発明が解決しようとする課題】
【０００４】
この発明は上記問題に鑑み、リールの係止爪に対する係止が解除される方向に規制体が移動しようとするのを、該係止爪に係止した規制体上端に当接され、該規制体の移動方向と交差する方向に移動した操作枠で阻止することにより、係留体を所望する長さに引き出した状態及び出入り不可に確実且つ強固に固定することができる係留体巻取り装置の提供を目的とする。
【課題を解決するための手段】
【０００５】
請求項１に記載した発明の係留体巻取り装置は、装置本体に回転自在に収容保持され、紐状の係留体が巻き取られる方向に付勢されたリールと、該リールに形成した係止爪に係止される規制体と、該係止爪に対する係止が解除される方向に上記規制体を付勢する付勢手段と、該係止爪に対する規制体の係止が維持されるロック固定位置と、その係止が解除されるロック解除位置とに操作されるロック機構とを備えた係留体巻取り装置であって、上記ロック機構を、上記規制体の上端側が支持され、上記装置本体に対して上記規制体の移動方向と交差する方向に向けて移動自在に設けた操作枠と、上記操作枠が支持する規制体上端に当接され、該操作枠に対して上記リールの係止爪に上記規制体を係止させる位置と、該係止が解除される位置とに上下移動自在に設けた操作体と、上記操作枠を、上記リールの係止爪に係止した上記規制体上端に当接され、該係止爪に対する係止が解除される方向に上記規制体が移動しようとするのを阻止するロック固定位置と、上記規制体上端に対する当接が回避され、該係止爪に対する係止が解除される方向への上記規制体の移動が許容されるロック解除位置とに前後移動自在に設けて構成したことを特徴とする。
【０００６】
上記係留体は、例えば紐、鎖、ワイヤー、テープ等で構成することができる。また、付勢手段は、例えばコイルバネ、渦巻きバネ、板バネ、合成ゴム等の復元力を蓄積することができる弾性体で構成することができる。
【０００７】
つまり、ロック機構を構成する操作体を付勢手段の付勢力に抗して操作し、操作体下端に当接する規制体をリールの係止爪に係止した後、操作枠を、規制体に対して当接（又は係止）されるロック固定位置に移動させ、リールの係止爪に対する係止が解除される方向に規制体が移動しようとするのを、規制体の移動方向と交差する方向に移動した操作枠により阻止するので、リールの係止爪に対する規制体の係止状態が維持され、係留体を所望する長さに引き出した状態及び出入り不可に固定される。また、操作枠及び操作体から手を離しても、ロック機構による固定が解除されず、係留体を出入り不可に固定した状態を維持することができる。
【０００８】
一方、操作枠を、規制体に対して当接が回避されるロック解除位置に移動させると、リールの係止爪に対する係止が解除される方向への規制体の移動が許容されるとともに、付勢手段の付勢力により、規制体がリールの係止爪に対して係止が解除される方向に押し戻され、リールの回転固定が解除されるので、係留体を所望する長さ引き出しするか、係留体の略全長又は所望する長さ巻き取ることが可能となる。
【０００９】
請求項２に記載した発明の係留体巻取り装置は、上記請求項１に記載の構成と併せて、上記操作枠と規制体との対向部に、上記リールの係止爪に対する係止が解除される方向に上記規制体が移動しようとするのを阻止する位置に上記操作枠を移動したときに係止される規制突起と規制壁部とを設けたことを特徴とする。つまり、規制突起と規制壁部とを、上記付勢手段の付勢力により強固に係止して、リールの係止爪に対して係止が解除される方向に規制体が移動しようとするのを操作枠により阻止し、リールの係止爪に対する規制体の係止状態を維持するので、係留体を所望する長さに引き出した状態及び出入り不可に固定することができる。
【００１０】
請求項３に記載した発明の係留体巻取り装置は、上記請求項１又は２に記載の構成と併せて、上記操作体と規制体との対向部に、上記リールの係止爪に対する係止が解除される方向に上記規制体が移動しようとするのを阻止する位置に上記操作枠を積極的に変位させるような角度に傾斜する当接面を設けたことを特徴とする。つまり、上記付勢手段の付勢力により、操作体と規制体との各当接面が強く当接されるほど、その当接部分に生じる反発力よりも各当接面に沿って変位しようとする方向の応力が大きくなり、操作体と規制体が当接面に沿って前後方向に相対変位しようとするが、規制体が定位置に規制されているため、規制体の移動が阻止される位置に向けて操作枠が積極的に変位される。
【００１１】
請求項４に記載した発明の係留体巻取り装置は、上記請求項１，２，３の何れか一つに記載の構成と併せて、上記操作体と規制体との対向部に、上記リールの係止爪に対して係止が解除される方向に上記規制体が移動しようとするのを阻止する位置に上記操作枠を移動したときに互いに係止される一対の戻り止め部を設けたことを特徴とする。つまり、つまり、規制体の移動が阻止されるロック固定位置に上記操作枠を移動したとき、操作体と規制体との各戻り止め部が互いに係止され、リールの係止爪に対して係止された状態に操作体及び規制体が保持される。一方、規制体の移動が許容されるロック解除位置に上記操作枠を移動したとき、操作体と規制体との各戻り止め部が引き抜き分離され、リールの係止爪に対して係止が解除された元の状態に操作体及び規制体が復帰する。
【発明の効果】
【００１２】
この発明によれば、ロック機構を構成する操作枠を、リールの係止爪に係止した規制体上端に当接されるロック固定位置に移動させ、係止爪に対する係止が解除される方向に規制体が移動しようとするのを、規制体の移動方向と交差する方向に移動した操作枠により阻止するので、操作枠の操作方向と規制体の移動方向とが異なり、操作枠を、規制体上端に対する当接が回避されるロック解除位置に移動させなければ、リールの係止爪に対する規制体の係止が解除される心配がなく、係止状態が維持されるため、係留体を所望する長さに引き出した状態及び出入り不可に確実且つ強固に固定することができる。
【００１３】
また、操作枠を、規制体上端に対する当接が回避される位置に移動させるだけで、リールの係止爪に対する係止が解除される方向へ規制体の移動が許容され、係留体を所望する長さに引き出しするか、係留体の略全長又は所望する長さ巻き取りする操作が容易に行える。
【発明を実施するための最良の形態】
【００１４】
この発明は、係留体を所望する長さに引き出した状態及び出入り不可に確実且つ強固に固定することができるという目的を、リールの係止爪に対する係止が解除される方向に規制体が移動しようとするのを、係止爪に係止した規制体上端に当接され、該規制体の移動方向と交差する方向に移動した操作枠で阻止することで達成した。
【実施例】
【００１５】
この発明の一実施例を以下図面に基づいて詳述する。  
図面は、ペットの係留具に繋がれた係留体を所望する長さに出し入れすることができる係留体巻取り装置を示し、図１に於いて、この係留体巻取り装置１は、左右分割可能な構造を有する装置本体２内部に設けたリール収容部３に、紐状の係留体４が所定量巻回されたリール５を回転自在に収容保持し、そのリール５に巻回された係留体４を出し入れする口部２ａを、リール収容部３と連通して装置本体２の前側上部（又は前側下部）に設け、手で把持されるグリップ形状の把持部２ｂを装置本体２の後側外面に一体的に設け、係留体４を所望する長さに引き出した状態及び出入り不可に固定するロック機構８を装置本体２の後側上部に設けている。なお、係留体４の引き出し側端部には、例えばペットに装着された首輪やベルト等に繋がれるフック状の係止具を取り付けている。
【００１６】
上記リール５は、リール収容部３の略中心に突設した軸部３ａをリール本体５ａの回転中心に挿通して回転自在に軸支し、係留体４が巻き取られる方向に復元力が蓄積された渦巻き状の巻取りバネ６を、リール本体５ａの中央部に形成した筒状部５ｂに圧縮装填し、その巻取りバネ６の一端を筒状部５ｂの内周面に固定し、巻取りバネ６の他端をリール収容部３の軸部３ａに固定して、その巻取りバネ６に蓄積された復元力でもって、リール５全体を係留体４が巻き取られる方向に対して回転付勢している。また、係留体４の略全長がリール５に巻き取られても、巻取りバネ６には巻き取られる方向に復元力が残るようにして筒状部５ｂに装填している。
【００１７】
且つ、後述する規制体１２が係止される左右一対の係止爪７，７をリール５の両側外周縁部（又は一側外周縁部）に形成するとともに、リール収容部３の軸部３ａと同一中心のリール５の軸心を中心として、円周方向に対して所定間隔に隔てて複数配列している。
【００１８】
前記ロック機構８は、図２にも示すように、操作部９を構成する操作枠１０と操作体１１とを、装置本体２の把持部２ｂ近傍の後側上部に形成した開口部２ｃに組み付けて構成している。その操作枠１０は、開口部２ｃに対して前後方向にスライド移動自在に組み付けられ、釦型の操作体１１は、操作枠１０に対して上下移動自在に組み付けられている。また、操作体１１下端に対して当接するように組み付けられた規制体１２は、リール５の両側外周縁部に形成した左右一対の係止爪７，７に対して係止される方向に上下移動自在に設けている。
【００１９】
上記操作枠１０は、枠本体１０ａの両側外壁部に形成したガイド突起１０ｂ，１０ｂを、開口部２ｃの両側内壁部に形成したガイド溝部２ｄ，２ｄに係止して、規制体１２の移動方向と交差する方向に向けて前後移動自在に取り付けるとともに、前記リール５の係止爪７，７に係止した規制体１２上端に当接（又は係止）され、係止爪７，７に対する規制体１２の係止状態が維持される前方側のロック固定位置と、規制体１２上端に対する当接が回避され、その係止爪７，７に対する規制体１２の係止状態が解除される後方側のロック解除位置とに前後移動自在に設けている。また、枠本体１０ａの上側前後縁部は、スライド操作時において装置本体２の開口部２ｃが閉塞されるような大きさ及び形状に形成している。且つ、規制体１２の上端側を、操作枠１０の下面側開口部に収容して上下移動自在に支持している。
【００２０】
前記操作体１１は、釦形状に形成した本体１１ａを、操作枠１０の上下面中央部に形成した案内窓１０ｃに対して上下移動自在に収容保持し、本体１１ａ上部の釦頭部を案内窓１０ｃ上面に対して指先で押し込み操作可能な状態に突出している。且つ、操作体１１の前後中央下縁部に形成した突起１１ｂ，１１ｂを、枠本体１０ａの前後中央下縁部に形成した縦長の切欠き溝１０ｄ，１０ｄに係止して、操作体１１下端に当接する規制体１２が前記リール５の係止爪７，７に対して係止される下限位置と、その係止が解除される上限位置とに上下移動自在に設けている。
【００２１】
また、操作体１１の内側中央部に固定（又は形成）した二股形状を有する戻り止め部１３は、後述する規制体１２の上端側中央部に形成した正面から見て略Ｔ形状の戻り止め部１４に対して係止され、つまり、操作枠１０をロック固定位置に移動したとき、操作体１１の戻り止め部１３が規制体１２の戻り止め部１４に係止され、操作体１１と規制体１２とが一体的に係合される。一方、操作枠１０をロック解除位置に移動したとき、操作体１１の戻り止め部１３が規制体１２の戻り止め部１４から引き抜かれるので、操作体１１と規制体１２とが個々に分離される。
【００２２】
前記規制体１２は、本体１２ａの上端側を、操作枠１０の下面側開口部に対して上下移動自在に支持し、本体１２ａの後側下端部に形成した係止部１２ｂを、リール５の両側外周縁部に形成した所望する円周位置の係止爪７，７に対して跨る状態に係止されるように設けている。且つ、係止部１２ｂは、係止爪７の短辺部及び長辺部に対して係止される爪形状に斜設され、係留体４が引き出される方向及び巻き取られる方向にリール５が回転しようとするのを阻止する。
【００２３】
且つ、本体１２ａの側面中央部に形成した幅方向に貫通するガイド窓１２ｃを介して、後述する復帰バネ１６が受け止められる受け部材１５を装置本体２の開口部２ｃよりも内方の両側内壁部間に固定して、規制体１２を、前記リール５の係止爪７，７に対して係止される方向と、その係止が解除される方向とに上下移動自在に設けている。また、装置本体２と規制体１２との両側対向壁面に、例えば突起と溝部、レールと受け部等のガイド手段を設けてもよい。
【００２４】
且つ、規制体１２の係止が解除される方向に復元力が蓄積された復帰バネ１６を、受け部材１５と規制体１２との対向面間に圧縮装填して、復帰バネ１６に蓄積された復元力でもって、規制体１２をリール５の係止爪７，７に対して係止が解除される方向に付勢するとともに、規制体１２上端に当接される操作体１１を、操作枠１０の案内窓１０ｃ上面よりも釦頭部が突出される方向に付勢している。
【００２５】
且つ、規制体１２の後側上端部に形成した規制突起１２ｃは、操作枠１０をロック固定位置に移動したとき、操作枠１０の後側下端部に形成した規制壁部１０ｅを乗り越えて該規制壁部１０ｅの後側に係止され、リール５の係止爪７，７に対する係止が解除される方向に規制体１２が移動しようとするのを操作枠１０で阻止される。つまり、規制壁部１０ｅが規制突起１２ｃを乗り越えるときに抵抗を付与するとともに、相互の係止状態を復帰バネ１６に蓄積された復元力により維持するので、復帰バネ１６に蓄積される復元力が大きくなるほど、規制壁部１０ｅと規制突起１２ｃとが強固に係止される。
【００２６】
また、規制体１２の規制突起１２ｃは、操作枠１０をロック解除位置に移動したとき、操作枠１０の規制壁部１０ｅを乗り越えて該規制壁部１０ｅの前側に移動して係止が解除され、操作枠１０の下面側開口部に対する規制体１２の収容が許容され、リール５の係止爪７，７に対する係止が解除される方向への移動が可能となる。
【００２７】
前記操作体１１の戻り止め部１３下端に形成した当接面１７と、その戻り止め部１３に当接される規制体１２上端に形成した当接面１８とは、操作部９全体が後方側のロック解除位置から前方側のロック固定位置に向けて滑り動くような角度に斜設している。つまり、復帰バネ１６に蓄積された復元力により、操作体１１の当接面１７と規制体１２の当接面１８とが互いに強く当接されるほど、その当接部分に生じる反発力よりも当接面１７，１８に沿って変位しようとする方向の応力が大きくなり、操作体１１と規制体１２とが当接面１７，１８に沿って前後方向に相対変位しようとするが、規制体１２が定位置に規制されているため、リール５の係止爪７，７に対する係止が解除される方向に上記規制体１２が移動しようとするのを阻止する前方側のロック固定位置に向けて操作体１１（又は操作部１０全体）が積極的に変位される。
【００２８】
図示実施例は上記の如く構成するものにして、以下、係留体巻取り装置１の操作方法を説明する。
【００２９】
先ず、ペットの係留具に繋がれた係留体４を所望する長さに引き出し固定する場合、図３にも示すように、装置本体２の把持部２ｂを把持する手の指先で、ロック機構８を構成する操作部９の操作体１１を復帰バネ１６の復元力に抗して押し込み操作し、操作体１１下端に当接した規制体１２を、復元リール５の外周面と対向する径方向に移動させ、規制体１２に形成した係止部１２ｂを、リール５に形成した所望する円周上の係止爪７，７に係止して、リール５を、係留体４の引き出し及び巻取りが阻止される状態に仮固定する。
【００３０】
次に、図４にも示すように、操作部９全体を手の指先で前方側にスライド操作して、操作枠１１及び操作体１２を、リール５の係止爪７，７に対する係止が解除される方向に規制体１２が移動しようとするのを阻止する前方側のロック固定位置に移動させ、操作体１１の戻り止め部１３を、規制体１２の戻り止め部１４に係止して一体的に係合するとともに、操作体１１の釦頭部が操作枠１０の案内窓１０ｃに押し込まれた状態に保持する。
【００３１】
且つ、規制体１２の規制突起１２ｃを、操作枠１０の規制壁部１０ｅ後面に係止するとともに、規制壁部１０ｅと規制突起１２ｃとを復帰バネ１６に蓄積された復元力により強固に係止して、リール５の係止爪７，７に対する係止が解除される方向に規制体１２が移動しようとするのを操作枠１０で積極的に阻止する。
【００３２】
且つ、復帰バネ１６に蓄積された復元力により、操作体１１に設けた戻り止め部１３下端の当接面１７と、規制体１２上端の当接面１８とが互いに当接されるほど、その当接部分に生じる反発力よりも当接面１７，１８に沿って変位しようとする方向への応力が大きくなり、操作体１１と規制体１２とが当接面１７，１８に沿って前後方向に相対変位しようとするが、規制体１２が定位置に規制されているので、リール５の係止爪７，７に対して係止が解除される方向に上記規制体１２が移動しようとするのを阻止する前方側のロック固定位置に向けて操作体１１を含む操作部１０全体が積極的に変位付勢される。
【００３３】
つまり、リール５の係止爪７，７に対する係止が解除される方向に規制体１２が移動しようとするのを、規制体１２の移動方向と交差する方向に移動した操作枠１０により阻止するので、リール５の係止爪７，７に対する規制体１２の係止状態が確実に維持され、係留体４を所望する長さに引き出した状態及び出入り不可にロック固定することができる。また、操作部１０から手を離しても、ロック機構８によるロック固定が解除されず、係留体４を出入り不可に固定した状態を維持することができる。
【００３４】
次に、係留体４を所望する長さに引き出しするか、係留体４の略全長又は所望する長さ巻き取りする場合、図１にも示すように、操作部９全体を手の指先で後方側（手前側）にスライド操作して、操作枠１０及び操作体１１を、リール５の係止爪７，７に対して係止が解除される方向への規制体１２の移動が許容される後方側のロック解除位置に移動させ、操作体１１の戻り止め部１３を規制体１２の戻り止め部１４から引き抜いて分離するとともに、操作枠１０の規制壁部１０ｅを、復帰バネ１６の復元力に抗して、規制体１２の規制突起１２ｃに対する係止が解除される規制解除位置に乗り越えさせるようにして退避させると、操作枠１０の下面側開口部に対して規制体１２の収容が許容され、リール５の係止爪７，７に対する係止が解除される方向への移動が可能となる。
【００３５】
且つ、規制体１２は、復帰バネ１６に蓄積された復元力により、リール５の係止爪７，７に対する係止が解除される方向に押し戻されて上限位置に復帰し、リール５の回転固定が解除されるので、係留体４を所望する長さ引き出しするか、係留体４の略全長又は所望する長さ巻き取ることができる。また、規制体１２上端に当接する操作体１１は、操作枠１０の案内窓１０ｃ上面よりも釦頭部が突出する押し込み前の状態に復帰する。
【００３６】
以上のように、係留体巻取り装置１に設けたロック機構８を構成する操作部９の操作体１１を押し込み操作して、規制体１２をリール５の係止爪７，７に係止した後、操作部９全体をロック固定位置にスライド操作して、規制体１２の規制突起１２ｃを操作枠１０の規制壁部１０ｅに当接又は係止し、リール５の係止爪７，７に対する係止が解除される方向に規制体１２が移動しようとするのを、規制体１２の移動方向と交差する方向に移動した操作枠１０により阻止するので、操作枠１０の操作方向と規制体１２の移動方向とが異なり、操作枠１０を、規制体１２上端に対する当接が回避されるロック解除位置に移動させなければ、リール５の係止爪７，７に対する規制体１２の係止が解除される心配がなく、係止状態が維持されるため、係留体４を所望する長さに引き出した状態及び出入り不可に確実且つ強固に固定することができる。
【００３７】
また、操作部９全体をロック解除位置にスライド操作して、操作枠１０の規制壁部１０ｅを、規制体１２の規制突起１２ｃに対する当接又は係止が回避される位置に退避させるだけで、リール５の係止爪７，７に対する係止が解除される方向へ規制体１２の移動が許容され、係留体４を所望する長さに引き出しするか、係留体４の略全長又は所望する長さ巻き取りする操作が容易に行える。
【００３８】
この発明の構成と、上述の実施例との対応において、  
この発明の付勢手段は、実施例の復帰バネ１６に対応するも、  
この発明は、上述の実施例の構成のみに限定されるものではない。
【００３９】
例えばリール５の外側壁部に形成した係止爪７…に、リール５の軸心と略平行して装置本体２の外側壁部に設けたロック機構８を構成する規制体１２を係止可能に設けてもよい。
【産業上の利用可能性】
【００４０】
本発明の係留体巻取り装置を構成するロック機構は、例えばドラムや円盤、軸等のような回転体の回転を規制するような装置にも利用することができる。
【図面の簡単な説明】
【００４１】
【図１】係留体巻取り装置のロック機構によるロック解除状態を示す断面図。
【図２】ロック機構の分離状態を示す斜視図。
【図３】ロック機構による仮固定状態を示す断面図。
【図４】ロック機構によるロック固定状態を示す断面図。
【符号の説明】
【００４２】
１…係留体巻取り装置
２…装置本体
３…リール収容部
４…係留体
５…リール
６…巻取りバネ
７…係止爪
８…ロック機構
９…操作部
１０…操作枠
１０ｅ…規制壁部
１１…操作体
１２…規制体
１２ｃ…規制突起
１３，１４…戻り止め部
１６…復帰バネ
１７，１８…当接面
【図１】
2006174738.tif 000003
【図２】
2006174738.tif 000004
【図３】
2006174738.tif 000005
【図４】
2006174738.tif 000006